(57)【要約】【課題】指向性の切り替えが可能なアンテナの最適受信方向を、正確に決定することができるアンテナシステムを提供する。【解決手段】アンテナシステム１において、アナログ方式のＴＶ放送信号の受信に際して指向性の切り替えが可能なアンテナ１３と、切替部１２２によりアンテナ１３の指向性が切り替えられた際に、アンテナ１３により受信されたＴＶ放送信号を分析してゴースト評価値であるＰＤＵＲを測定するＰＤＵＲ測定部３３と、ＰＤＵＲ測定部３３により測定された指向性の方向毎のＰＤＵＲを、チャンネル毎に記憶する記憶部３９と、ユーザ所望のチャンネルが指定されると、切替部１２２を制御して、記憶部３９に記憶されたユーザ所望のチャンネルに対応する指向性の方向のうちの、ＰＤＵＲの値が最も高い方向に、アンテナ１３の指向性を切り替えさせる指向性切替プログラム４０３ｂを実行したＣＰＵ４０１と、を備えるよう構成した。【選択図】図１
2008271023.tif 000002
【特許請求の範囲】
【請求項１】
アナログ方式のテレビジョン放送信号の受信に際して指向性の切り替えが可能なアンテナと、
前記アンテナの指向性を切り替える切替手段と、
前記切替手段により前記アンテナの指向性が切り替えられた際に、当該アンテナにより受信されたテレビジョン放送信号を分析して電波品質を測定する測定手段と、
前記測定手段により測定された指向性の方向毎の電波品質を、チャンネル毎に記憶する記憶手段と、
所望のチャンネルが指定されると、前記切替手段を制御して、前記記憶手段に記憶された当該所望のチャンネルに対応する指向性の方向のうちの、前記電波品質の値が最も高い方向に、前記アンテナの指向性を切り替えさせる制御手段と、
を備えることを特徴とするアンテナシステム。
【請求項２】
請求項１に記載のアンテナシステムにおいて、
前記切替手段により前記アンテナの指向性が切り替えられた際に、当該アンテナによりテレビジョン放送信号が受信されたか否かを判定する判定手段を備え、
前記測定手段は、前記判定手段によって前記アンテナによりテレビジョン放送信号が受信されたと判定された場合に、当該アンテナにより受信されたテレビジョン放送信号を分析して電波品質を測定することを特徴とするアンテナシステム。
【請求項３】
請求項１又は２に記載のアンテナシステムにおいて、
前記制御手段は、前記切替手段を制御して、前記判定手段によって前記アンテナによりテレビジョン放送信号が受信されたと判定されるまで、前記記憶手段に記憶された前記所望のチャンネルに対応する指向性の方向のうちの、前記電波品質の値が高い方向から順に、当該アンテナの指向性を切り替えさせることを特徴とするアンテナシステム。
【請求項４】
請求項３に記載のアンテナシステムにおいて、
前記制御手段は、前記記憶手段に記憶された前記所望のチャンネルに対応する指向性の方向の中に、前記電波品質の値が同値の方向が複数ある場合には、当該複数の方向の中で、前記アンテナの現時点での指向性の方向に最も近い方向に、前記切替手段を制御して、当該アンテナの指向性を切り替えさせることを特徴とするアンテナシステム。
【請求項５】
アナログ方式のテレビジョン放送信号の受信に際して指向性の切り替えが可能なアンテナと、
前記アンテナの指向性を切り替える切替手段と、
前記切替手段により前記アンテナの指向性が切り替えられた際に、当該アンテナによりテレビジョン放送信号が受信されたか否かを判定する判定手段と、
前記判定手段によって前記アンテナによりテレビジョン放送信号が受信されたと判定された場合に、当該アンテナにより受信されたテレビジョン放送信号を分析して電波品質を測定する測定手段と、
前記測定手段により測定された指向性の方向毎の電波品質を、チャンネル毎に記憶する記憶手段と、
所望のチャンネルが指定されると、前記切替手段を制御して、前記判定手段によって前記アンテナによりテレビジョン放送信号が受信されたと判定されるまで、前記記憶手段に記憶された当該所望のチャンネルに対応する指向性の方向のうちの、前記電波品質の値が高い方向から順に、前記アンテナの指向性を切り替えさせる制御手段と、
を備えることを特徴とするアンテナシステム。
【発明の詳細な説明】
【技術分野】
【０００１】
本発明は、アンテナシステムに関する。
【背景技術】
【０００２】
従来、アンテナシステムによるテレビジョン放送信号（以下、「ＴＶ放送信号」という）の受信に際してアンテナが最適受信方向を向くように、例えば、視聴者が、表示部に表示された画像を参照しながら、当該アンテナの向き等を調整していた。しかしながら、この調整方法は非常に煩雑であるという問題があった。そこで、例えば、ＴＶ放送信号の受信状況を表示できるインジケータを備え、当該インジケータにより表示される受信状況を参照しながらアンテナの向き等を手動で調整できるアンテナシステム（例えば、特許文献１参照）、視聴者により要求があった時に、アンテナの向き等を自動で調整できるアンテナシステム（例えば、特許文献２参照）等が提案された。
【０００３】
さらに、視聴者により所望のチャンネルが指定される度に、自動的に指向性を切り替えることができるアンテナ（通称、「スマートアンテナ」という）を有するアンテナ装置と、テレビジョン受像機と、を備えたアンテナシステムも提案されている。具体的には、例えば、アンテナ装置は、テレビジョン受像機によってEIA/CEA-909等の所定の規格に基づいて制御されて、スマートアンテナの指向性等を切り替えるようになっている。
【０００４】
ところで、上記スマートアンテナの、デジタルＴＶ放送信号に対する最適受信方向については、信号強度やエラーレートを利用して決定する方法が確立されているが、アナログＴＶ放送信号の最適受信方向については、その決定方法が確立されていなかった。
そこで、例えば、スマートアンテナの指向性を切り替えながら水平同期信号を獲得し、水平同期信号を連続して獲得できた領域の中心角を二等分する方向をスマートアンテナの最適受信方向として決定するとともに、水平同期信号を連続して獲得できた領域が２箇所以上存在するときは最も大きな中心角を二等分する方向をスマートアンテナの最適受信方向として決定するアンテナシステム（例えば、特許文献３参照）、受信されたアナログＴＶ放送信号から取得した画像データに基づく画像の複雑度が最も低い方向をスマートアンテナの最適受信方向と決定するアンテナシステム（例えば、特許文献４参照）等が提案された。
【特許文献１】特開２００１−９４８９９号公報
【特許文献２】特開２００１−８６０１９号公報
【特許文献３】特開２００５−３５４４３５号公報
【特許文献４】特開２００５−３１８１４０号公報
【発明の開示】
【発明が解決しようとする課題】
【０００５】
しかしながら、簡易な方法として水平同期信号を連続して獲得できた領域の中心角を二等分する方向を受信方向とするが、必ずしも最適受信方向であるとは限らないため、特許文献３の方法では、正確な最適受信方向を決定するのは困難であるという問題がある。
また、画像が大きく変化した場合等に決定した最適受信方向が、必ずしも実際の最適受信方向であるとは限らないため、特許文献４の方法では、正確な最適受信方向を決定するのは困難であるという問題がある。さらに、特許文献４の方法では、最適受信方向を決定するのに、画像処理を行う必要があり、演算時間がかかるという問題もある。
【０００６】
本発明の課題は、指向性の切り替えが可能なアンテナの最適受信方向を、正確に決定することができるアンテナシステムを提供することにある。
【課題を解決するための手段】
【０００７】
上記課題を解決するために、請求項１に記載の発明は、
アンテナシステムにおいて、
アナログ方式のテレビジョン放送信号の受信に際して指向性の切り替えが可能なアンテナと、
前記アンテナの指向性を切り替える切替手段と、
前記切替手段により前記アンテナの指向性が切り替えられた際に、当該アンテナにより受信されたテレビジョン放送信号を分析して電波品質を測定する測定手段と、
前記測定手段により測定された指向性の方向毎の電波品質を、チャンネル毎に記憶する記憶手段と、
所望のチャンネルが指定されると、前記切替手段を制御して、前記記憶手段に記憶された当該所望のチャンネルに対応する指向性の方向のうちの、前記電波品質の値が最も高い方向に、前記アンテナの指向性を切り替えさせる制御手段と、
を備えることを特徴とする。
【０００８】
請求項２に記載の発明は、
請求項１に記載のアンテナシステムにおいて、
前記切替手段により前記アンテナの指向性が切り替えられた際に、当該アンテナによりテレビジョン放送信号が受信されたか否かを判定する判定手段を備え、
前記測定手段は、前記判定手段によって前記アンテナによりテレビジョン放送信号が受信されたと判定された場合に、当該アンテナにより受信されたテレビジョン放送信号を分析して電波品質を測定することを特徴とする。
【０００９】
請求項３に記載の発明は、
請求項１又は２に記載のアンテナシステムにおいて、
前記制御手段は、前記切替手段を制御して、前記判定手段によって前記アンテナによりテレビジョン放送信号が受信されたと判定されるまで、前記記憶手段に記憶された前記所望のチャンネルに対応する指向性の方向のうちの、前記電波品質の値が高い方向から順に、当該アンテナの指向性を切り替えさせることを特徴とする。
【００１０】
請求項４に記載の発明は、
請求項３に記載のアンテナシステムにおいて、
前記制御手段は、前記記憶手段に記憶された前記所望のチャンネルに対応する指向性の方向の中に、前記電波品質の値が同値の方向が複数ある場合には、当該複数の方向の中で、前記アンテナの現時点での指向性の方向に最も近い方向に、前記切替手段を制御して、当該アンテナの指向性を切り替えさせることを特徴とする。
【００１１】
請求項５に記載の発明は、
アンテナシステムにおいて、
アナログ方式のテレビジョン放送信号の受信に際して指向性の切り替えが可能なアンテナと、
前記アンテナの指向性を切り替える切替手段と、
前記切替手段により前記アンテナの指向性が切り替えられた際に、当該アンテナによりテレビジョン放送信号が受信されたか否かを判定する判定手段と、
前記判定手段によって前記アンテナによりテレビジョン放送信号が受信されたと判定された場合に、当該アンテナにより受信されたテレビジョン放送信号を分析して電波品質を測定する測定手段と、
前記測定手段により測定された指向性の方向毎の電波品質を、チャンネル毎に記憶する記憶手段と、
所望のチャンネルが指定されると、前記切替手段を制御して、前記判定手段によって前記アンテナによりテレビジョン放送信号が受信されたと判定されるまで、前記記憶手段に記憶された当該所望のチャンネルに対応する指向性の方向のうちの、前記電波品質の値が高い方向から順に、前記アンテナの指向性を切り替えさせる制御手段と、
を備えることを特徴とする。
【発明の効果】
【００１２】
本発明によれば、アンテナの指向性が切り替えられた際に、当該アンテナにより受信されたテレビジョン放送信号を分析して電波品質（例えば、ゴースト評価値であるＰＤＵＲ）を測定することができ、当該測定された指向性の方向毎の電波品質を、チャンネル毎に記憶することができ、そして、所望のチャンネルが指定されると、当該記憶された当該所望のチャンネルに対応する指向性の方向のうちの、電波品質の値が最も高い方向に、アンテナの指向性を切り替えさせることができる。
すなわち、電波品質を測定して、アンテナの最適受信方向を決定するため、指向性の切り替えが可能なアンテナの最適受信方向を、正確に決定することができる。
【発明を実施するための最良の形態】
【００１３】
以下、図を参照して、本発明にかかるアンテナシステムの最良の形態を詳細に説明する。なお、発明の範囲は、図示例に限定されない。
【００１４】
＜アンテナシステムの構成＞
まず、アンテナシステム１の構成について、図１を参照して説明する。
アンテナシステム１は、例えば、アンテナ装置１０と、アンテナ装置１０を接続したテレビジョン受像機３０と、等を備えて構成される。
アンテナ装置１０とテレビジョン受像機３０は、例えば、所定の通信方式（例えば、EIA/CEA-909等）に基づいた通信を行うためのインターフェイス（以下「９０９インターフェイス」という）を介して接続されている。
また、アンテナ装置１０は、例えば、テレビジョン放送信号（以下、「ＴＶ放送信号」という）を受信するようになっており、テレビジョン受像機３０は、例えば、アンテナ装置１０により受信されたＴＶ放送信号に基づく音声や画像を出力するようになっている。
【００１５】
（アンテナ装置）
次に、アンテナ装置１０の構成について、図１を参照して説明する。
アンテナ装置１０は、例えば、９０９インターフェイス１１と、アンテナコントローラ１２と、アンテナ１３と、等を備えて構成される。
【００１６】
９０９インターフェイス１１は、例えば、テレビジョン受像機３０の９０９インターフェイス３１と接続しており、テレビジョン受像機３０の９０９インターフェイス３１と所定の通信方式（例えば、EIA/CEA-909等）に基づいた通信を行って、テレビジョン受像機３０からアンテナ装置１０を制御するための方向情報（後述）等の制御信号を受信して、アンテナコントローラ１２に出力する。
【００１７】
アンテナコントローラ１２は、例えば、制御部１２１と、切替部１２２と、等を備えている。
【００１８】
制御部１２１は、例えば、ＣＰＵ（Central Processing Unit）１２１１と、ＲＡＭ（Random Access Memory）１２１２と、ＲＯＭ（Read Only Memory）１２１３と、等を備えている。
【００１９】
ＣＰＵ１２１１は、例えば、ＲＯＭ１２１３に記憶されたアンテナコントローラ１２用の各種処理プログラムに従って各種の制御動作を行う。
【００２０】
ＲＡＭ１２１２は、例えば、ＣＰＵ１２１１によって実行される処理プログラム等を展開するためのプログラム格納領域や、入力データや上記処理プログラムが実行される際に生じる処理結果等を格納するデータ格納領域などを備えている。
【００２１】
ＲＯＭ１２１３は、例えば、アンテナコントローラ１２で実行可能なシステムプログラム、当該システムプログラムで実行可能な各種処理プログラム、これら各種処理プログラムを実行する際に使用されるデータ、ＣＰＵ１２１１によって演算処理された処理結果のデータ等を記憶する。なお、プログラムは、コンピュータが読み取り可能なプログラムコードの形でＲＯＭ１２１３に記憶されている。
具体的には、ＲＯＭ１２１３には、例えば、切替制御プログラム１２１３ａ等が記憶されている。
【００２２】
切替制御プログラム１２１３ａは、例えば、テレビジョン受像機３０から送信された方向情報に従って切替部１２２を制御して、切替部１２２に、アンテナ１３の指向性を切り替えさせる機能を、ＣＰＵ１２１１に実現させる。
ここで、方向情報は、例えば、アンテナ１３の指向性の方向に関する情報であり、具体的には、例えば、図２に示すように、アンテナ１３の指向性の方向（例えば、１６方向）のそれぞれに割り当てられた番号（例えば、「０」〜「１５」）である。
【００２３】
切替部１２２は、例えば、制御部１２１から入力される制御信号に従って、切替手段として、アンテナ１３の指向性を切り替える。
【００２４】
アンテナ１３は、例えば、ＮＴＳＣ（National Television Systems Committee）規格に準拠したアナログ方式のＴＶ放送信号の受信に際して指向性の切り替えが可能な、いわゆるスマートアンテナである。
すなわち、アンテナ１３は、例えば、複数の指向性の方向（例えば、１６方向）を有し、切替部１２２により当該複数の方向のうちの一方向に指向性が切り替えられると、当該一方向からのＴＶ放送信号に、他方向からのＴＶ放送信号よりも大きな感度を示すようになっている。
【００２５】
具体的には、アンテナ１３は、例えば、テレビジョン受像機３０のチューナ３２と接続しており、例えば、切替部１２２により一方向に指向性が切り替えられると、当該一方向からのＴＶ放送信号を受信して、チューナ３２に出力するようになっている。
【００２６】
（テレビジョン受像機）
次に、テレビジョン受像機３０の構成について、図１を参照して説明する。
テレビジョン受像機３０は、例えば、９０９インターフェイス３１と、チューナ３２と、ＰＤＵＲ（Perceived DU Ratio）測定部３３と、復調部３４と、ＯＳＤ回路３７と、リモコン受信部３８と、記憶部３９と、制御部４０と、等を備えて構成される。各部は、バス３０Ｂによって接続されている。
また、テレビジョン受像機３０は、例えば、復調部３４と接続する音声出力部３５や画像表示部３６を備えている。
また、テレビジョン受像機３０は、例えば、リモコン受信部３８と通信可能なテレビジョン受像機３０用のリモートコントローラ３８１（以下、「リモコン３８１」という）を備えている。
【００２７】
９０９インターフェイス３１は、例えば、アンテナ装置１０の９０９インターフェイス１１と接続しており、例えば、制御部４０から入力される制御信号に従って、アンテナ装置１０の９０９インターフェイス１１と所定の通信方式（例えば、EIA/CEA-909等）に基づいた通信を行って、アンテナ装置１０にアンテナ装置１０を制御するための方向情報等の制御信号を送信する。
【００２８】
チューナ３２は、例えば、アンテナ装置１０のアンテナ１３と接続されており、例えば、制御部４０により一のチャンネルが設定されると、アンテナ１３から出力されたＴＶ放送信号を当該設定された一のチャンネルに対応する周波数帯域に同調させることによって、当該設定された一のチャンネルに対応するＴＶ放送信号を受信し、そして、当該受信したＴＶ放送信号をＰＤＵＲ測定部３３や復調部３４に出力する。
【００２９】
ＰＤＵＲ測定部３３は、例えば、制御部４０から入力される制御信号に従って、測定手段として、切替部１２２によりアンテナ１３の指向性が切り替えられた際に、アンテナ１３により受信されたＴＶ放送信号を分析して電波品質としてのＰＤＵＲを測定する。
【００３０】
具体的には、ＰＤＵＲ測定部３３は、例えば、切替部１２２によりアンテナ１３の指向性が切り替えられて、最適受信方向設定プログラム４０３ａを実行したＣＰＵ４０１（後述）によってアンテナ１３によりＴＶ放送信号が受信されたと判定された場合に、アンテナ１３により受信されてチューナ３２から出力されたＴＶ放送信号を分析してＰＤＵＲを測定する。
すなわち、ＰＤＵＲ測定部３３は、例えば、アンテナ１３によるＴＶ放送信号の受信が可能と予め判定された方向に、アンテナ１３の指向性が切り替わった場合に、アンテナ１３により受信されたＴＶ放送信号を分析してＰＤＵＲを測定する。
【００３１】
ここで、ＰＤＵＲは、例えば、電波障害の一種である画像の多重映り等のゴースト障害の程度を客観的且つ定量的に表す評価値であり、以下の式（１）によって算出される。
【数１】
2008271023.tif 000003
【００３２】
ここで、ｎはゴーストの本数であり、Ｄ／Ｕｉはｉ番目のゴーストのＤＵ比[ｄＢ]であり、Ｗτｉはｉ番目のゴーストの遅延時間加重値[ｄＢ]であり、ＷΦｉはｉ番目のゴーストの位相加重値[ｄＢ]である。
【００３３】
より具体的には、ＰＤＵＲ測定部３３は、例えば、図示しない、周波数変換部と、同期検波回路と、Ａ／Ｄ変換部と、ＣＰＵと、ＲＡＭと、ＲＯＭと、等から構成されており、例えば、周波数変換部により、チューナ３２から出力されたＴＶ放送信号を中間周波信号に変換し、次いで、同期検波回路により、中間周波信号と同一周波数で９０度位相差を持つ二つの搬送波を発生させて、中間周波信号とその二つの搬送波でそれぞれ同期検波を行って、同相映像信号成分及び直交映像信号成分を獲得し、次いで、Ａ／Ｄ変換部により、同相映像信号成分及び直交映像信号成分のうち、垂直同期パルスの立ち下がり部分の所定期間をＡ／Ｄ変換し、次いで、ＲＡＭに、Ａ／Ｄ変換された同相映像信号成分及び直交映像信号成分を記憶させ、次いで、ＲＯＭに記憶されたＰＤＵＲ測定部３３用のプログラムを実行したＣＰＵにより、ＲＡＭに記憶されたデータに基づいて、希望波と反射波（ゴースト波）の強度の比（ＤＵ比）、遅延時間及び高周波位相差を求めて、これらのデータを上式（１）に代入して、ＰＤＵＲを算出する。
【００３４】
復調部３４は、例えば、制御部４０から入力される制御信号に従って、チューナ３２から出力されたＴＶ放送信号を復調して、音声信号と画像信号とに分離して、デコードする。そして、復調部３４は、例えば、当該デコードされた音声信号を音声出力部３５に出力するとともに、当該デコードされた画像信号を画像表示部３６に出力する。
さらに、復調部３４は、例えば、制御部４０から入力される制御信号に従って、当該デコードされた画像信号から垂直同期信号（VSYNC）を分離して、制御部４０に出力する。
【００３５】
音声出力部３５は、例えば、スピーカ機器等であり、復調部３４から出力された音声信号に基づく音声データに応じた音声を出力する。
【００３６】
画像表示部３６は、例えば、液晶表示機器等であり、復調部３４から出力された画像信号に基づく画像データに応じた画像や、復調部３４から出力されてＯＳＤ回路３７によりＯＳＤ表示信号（後述）が合成された画像信号に基づく画像データに応じた画像を表示する。
【００３７】
ＯＳＤ回路３７は、例えば、制御部４０から入力される制御信号に従って、画像表示部３６に所定のＯＳＤ表示（オンスクリーンディスプレイ表示）をさせるためのＯＳＤ表示信号を、復調部３４から画像表示部３６に出力される画像信号に合成する。
【００３８】
リモコン受信部３８は、例えば、リモコン３８１から送信された各種信号を受信して、当該各種信号に基づく各種データを制御部４０に出力する。
【００３９】
リモコン３８１は、例えば、ユーザによって操作されると、当該操作に応じた信号をリモコン受信部３８に送信する。
【００４０】
記憶部３９は、例えば、磁気的記録媒体、光学的記録媒体若しくは半導体メモリで構成されている。
具体的には、記憶部３９は、例えば、最適受信方向設定プログラム４０３ａを実行したＣＰＵ４０１（後述）により判定された指向性の方向毎のアンテナ１３によるＴＶ放送信号の受信の有無を、チャンネル毎に記憶するとともに、記憶手段として、ＰＤＵＲ測定部３３により測定された指向性の方向毎のＰＤＵＲを、チャンネル毎に記憶する。
【００４１】
より具体的には、記憶部３９は、例えば、図３に示すような、方向情報を記憶する「方向情報」記憶領域と、最適受信方向設定プログラム４０３ａを実行したＣＰＵ４０１により判定されたアンテナ１３によるＴＶ放送信号の受信の有無を記憶する「ＴＶ放送信号受信の有無」記憶領域と、ＰＤＵＲ測定部３３により測定されたＰＤＵＲを記憶する「ＰＤＵＲ」記憶領域と、等を有するＰＤＵＲリスト３９ａを、チャンネル毎に格納している。
【００４２】
制御部４０は、例えば、ＣＰＵ４０１と、ＲＡＭ４０２と、ＲＯＭ４０３と、等を備えている。
【００４３】
ＣＰＵ４０１は、例えば、ＲＯＭ４０３に記憶されたテレビジョン受像機３０用の各種処理プログラムに従って各種の制御動作を行う。
【００４４】
ＲＡＭ４０２は、例えば、ＣＰＵ４０１によって実行される処理プログラム等を展開するためのプログラム格納領域や、入力データや上記処理プログラムが実行される際に生じる処理結果等を格納するデータ格納領域などを備えている。
【００４５】
ＲＯＭ４０３は、例えば、テレビジョン受像機３０で実行可能なシステムプログラム、当該システムプログラムで実行可能な各種処理プログラム、これら各種処理プログラムを実行する際に使用されるデータ、ＣＰＵ４０１によって演算処理された処理結果のデータ等を記憶する。なお、プログラムは、コンピュータが読み取り可能なプログラムコードの形でＲＯＭ４０３に記憶されている。
具体的には、ＲＯＭ４０３には、例えば、最適受信方向設定プログラム４０３ａと、指向性切替プログラム４０３ｂと、等が記憶されている。
【００４６】
最適受信方向設定プログラム４０３ａは、例えば、アンテナシステム１の初期設定時等に、切替部１２２によりアンテナ１３の指向性が切り替えられた際に、アンテナ１３によりＴＶ放送信号が受信されたか否かを判定し、そして、アンテナ１３によりＴＶ放送信号が受信されたと判定された場合に、ＰＤＵＲ測定部３３に、アンテナ１３により受信されたＴＶ放送信号を分析させてＰＤＵＲを測定させる機能を、ＣＰＵ４０１に実現させる。
【００４７】
具体的には、ＣＰＵ４０１は、例えば、９０９インターフェイス３１に制御信号を入力して、「０」〜「１５」の方向情報を、アンテナ装置１０に対して順次送信させることによって、アンテナ１３の指向性を順次切り替えさせ、次いで、アンテナ１３の指向性が切り替えられる度に、復調部３４から垂直同期信号が出力されたか否かを判定することによって、アンテナ１３によりＴＶ放送信号が受信されたか否かを判定し、当該判定結果を指向性の方向毎にＰＤＵＲリスト３９ａに記憶させる。
そして、ＣＰＵ４０１は、例えば、９０９インターフェイス３１に制御信号を入力して、ＰＤＵＲリスト３９ａに記憶された、アンテナ１３によりＴＶ放送信号を受信可能な方向の方向情報を、アンテナ装置１０に対して順次送信させることによって、アンテナ１３の指向性を順次切り替えさせ、次いで、アンテナ１３の指向性が切り替えられる度に、ＰＤＵＲ測定部３３に制御信号を入力して、ＰＤＵＲ測定部３３に、チューナ３２から出力されたＴＶ放送信号を分析させてＰＤＵＲを測定させ、当該測定結果を指向性の方向毎にＰＤＵＲリスト３９ａに記憶させる。
なお、ＣＰＵ４０１は、例えば、定期的に最適受信方向設定プログラム４０３ａを実行して、定期的にＰＤＵＲリスト３９ａを更新するようになっている。
ＣＰＵ４０１は、かかる最適受信方向設定プログラム４０３ａを実行することによって、判定手段として機能する。
【００４８】
指向性切替プログラム４０３ｂは、例えば、アンテナシステム１の通常動作時に、ユーザ所望のチャンネルが指定されると、切替部１２２を制御して、アンテナ１３によりＴＶ放送信号が受信されたと判定されるまで、ＰＤＵＲリスト３９ａに記憶された当該所望のチャンネルに対応する指向性の方向のうちの、ＰＤＵＲの値が高い方向から順に、アンテナ１３の指向性を切り替えさせる機能を、ＣＰＵ４０１に実現させる。
【００４９】
具体的には、ＣＰＵ４０１は、例えば、ユーザによるリモコン３８１等の操作によってユーザ所望のチャンネルが指定されると、９０９インターフェイス３１に制御信号を入力して、当該所望のチャンネルのＰＤＵＲリスト３９ａに記憶されたＰＤＵＲの値が最も高い方向情報を、アンテナ装置１０に対して送信させることによって、アンテナ１３の指向性を切り替えさせ、次いで、復調部３４から垂直同期信号が出力されたか否かを判定することによって、アンテナ１３によりＴＶ放送信号が受信されたか否かを判定する。
そして、アンテナ１３によりＴＶ放送信号が受信されないと判定した場合には、ＣＰＵ４０１は、例えば、アンテナ１３によりＴＶ放送信号が受信されたと判定されるまで、９０９インターフェイス３１に制御信号を入力して、当該所望のチャンネルのＰＤＵＲリスト３９ａに記憶された方向情報を、ＰＤＵＲの値が高いものから順にアンテナ装置１０に対して送信させることによって、アンテナ１３の指向性を順に切り替えさせる。
このとき、ＣＰＵ４０１は、例えば、ＰＤＵＲの値が同値の方向情報が複数ある場合には、当該複数の方向情報の中で、アンテナ１３の現時点での指向性の方向に最も近い方向の方向情報を、アンテナ装置１０に対して送信させ、さらに、例えば、アンテナ１３の現時点での指向性の方向に最も近い方向の方向情報が２つある場合には、当該２つの方向情報の中で、アンテナ１３の指向性が時計回りで切り替わるような方向の方向情報を、アンテナ装置１０に対して送信させる。
ＣＰＵ４０１は、かかる指向性切替プログラム４０３ｂを実行することによって、判定手段、制御手段として機能する。
【００５０】
＜アンテナシステムによる処理＞
次に、アンテナシステム１による処理について説明する。
【００５１】
（最適受信方向設定処理）
まず、アンテナシステム１によるアンテナ１３の最適受信方向の設定に関する処理について、図４及び５のフローチャートを参照して説明する。
【００５２】
テレビジョン受像機３０のＣＰＵ４０１は、最適受信方向設定プログラム４０３ａを実行して、まず、アンテナシステム１により受信可能な全てのチャンネルに対してループＡの処理を行う（ステップＳ１１〜Ｓ２１）。
【００５３】
具体的には、一のチャンネルに対するループＡの処理では、ＣＰＵ４０１は、チューナ３２に、当該一のチャンネルを設定して（ステップＳ１２）、アンテナ１３の指向性の方向として切替可能な全ての方向に対してループＢの処理を行う（ステップＳ１３〜ステップＳ２０）。
【００５４】
具体的には、一の方向に対するループＢの処理では、ＣＰＵ４０１は、９０９インターフェイス３１に制御信号を入力して、アンテナ装置１０に対して、当該一の方向の方向情報を送信させる（ステップＳ１４）。
【００５５】
ステップＳ１４にて送信された当該一の方向の方向情報を、アンテナ装置１０の９０９インターフェイス１１が受信すると（ステップＳ１５）、アンテナ装置１０のＣＰＵ１２１１は、切替制御プログラム１２１３ａを実行して、ステップＳ１５にて受信された当該一の方向の方向情報に従って切替部１２２を制御して、当該一の方向に、アンテナ１３の指向性を切り替えさせる（ステップＳ１６）。
【００５６】
次いで、テレビジョン受像機３０のＣＰＵ４０１は、復調部３４から垂直同期信号が出力されたか否かに基づいて、アンテナ１３によりＴＶ放送信号が受信されたか否かを判定する（ステップＳ１７）。
【００５７】
ステップＳ１７で、復調部３４から垂直同期信号が出力されなかったため、アンテナ１３によりＴＶ放送信号が受信されなかったと判定すると（ステップＳ１７；Ｎｏ）、ＣＰＵ４０１は、当該一のチャンネルのＰＤＵＲリスト３９ａにおける、当該一の方向の方向情報に対応する「ＴＶ放送信号受信の有無」記憶領域に、「無」を記憶させて（ステップＳ１８）、当該一の方向に対するループＢの処理を終了する。
【００５８】
一方、ステップＳ１７で、復調部３４から垂直同期信号が出力されたため、アンテナ１３によりＴＶ放送信号が受信されたと判定すると（ステップＳ１７；Ｙｅｓ）、ＣＰＵ４０１は、当該一のチャンネルのＰＤＵＲリスト３９ａにおける、当該一の方向の方向情報に対応する「ＴＶ放送信号受信の有無」記憶領域に、「有」を記憶させて（ステップＳ１９）、当該一の方向に対するループＢの処理を終了する。
【００５９】
そして、アンテナ１３の指向性の方向として切替可能な全ての方向に対するループＢの処理が終了すると（ステップＳ２０）、ＣＰＵ４０１は、当該一のチャンネルに対するループＡの処理を終了する。
【００６０】
そして、アンテナシステム１により受信可能な全てのチャンネルに対するループＡの処理が終了すると（ステップＳ２１）、ＣＰＵ４０１は、アンテナシステム１により受信可能な全てのチャンネルに対してループＣの処理を行う（ステップＳ２２〜Ｓ３１）。
【００６１】
具体的には、一のチャンネルに対するループＣの処理では、ＣＰＵ４０１は、チューナ３２に、当該一のチャンネルを設定して（ステップＳ２３）、当該一のチャンネルのＰＤＵＲリスト３９ａにおける「ＴＶ放送信号受信の有無」記憶領域に「有」が記憶された全ての方向情報に基づく方向に対して、すなわち、アンテナ１３により当該一のチャンネルに対応するＴＶ放送信号を受信可能な全ての方向に対して、ループＤの処理を行う（ステップＳ２４〜Ｓ３０）。
【００６２】
具体的には、一の方向に対するループＤの処理では、ＣＰＵ４０１は、９０９インターフェイス３１に制御信号を入力して、アンテナ装置１０に対して、当該一の方向の方向情報を送信させる（ステップＳ２５）。
【００６３】
ステップＳ２５にて送信された当該一の方向の方向情報を、アンテナ装置１０の９０９インターフェイス１１が受信すると（ステップＳ２６）、アンテナ装置１０のＣＰＵ１２１１は、切替制御プログラム１２１３ａを実行して、ステップＳ２６にて受信された当該一の方向の方向情報に従って切替部１２２を制御して、当該一の方向に、アンテナ１３の指向性を切り替えさせる（ステップＳ２７）。
【００６４】
次いで、テレビジョン受像機３０のＣＰＵ４０１は、ＰＤＵＲ測定部３３に制御信号を入力して、ＰＤＵＲ測定部３３に、アンテナ１３により受信されてチューナ３２から出力されたＴＶ放送信号を分析させてＰＤＵＲを測定させる（ステップＳ２８）。
【００６５】
次いで、ＣＰＵ４０１は、当該一のチャンネルのＰＤＵＲリスト３９ａにおける、当該一の方向の方向情報に対応する「ＰＤＵＲ」記憶領域に、ステップＳ２８にて測定されたＰＤＵＲを記憶させる（ステップＳ２９）。
【００６６】
次いで、ＣＰＵ４０１は、ステップＳ２９にて記憶させたＰＤＵＲの値が、一定値（例えば、適宜設定可能な電波品質が充分に高いと判断できる値）以上であるか否かを判断する（ステップＳ３０）。
【００６７】
ステップＳ３０で、ステップＳ２９にて記憶させたＰＤＵＲの値が、一定値以上であると判断すると（ステップＳ３０；Ｙｅｓ）、アンテナ１３により当該一のチャンネルに対応するＴＶ放送信号を受信可能な全ての方向に対するループＤの処理を強制的に抜け出して、当該一のチャンネルに対応するループＣの処理を終了する。
【００６８】
一方、ステップＳ３０で、ステップＳ２９にて記憶させたＰＤＵＲの値が、一定値以上でないと判断すると（ステップＳ３０；Ｎｏ）、当該一の方向に対するループＤの処理を終了する。
【００６９】
そして、アンテナ１３により当該一のチャンネルに対応するＴＶ放送信号を受信可能な全ての方向に対するループＤの処理が終了すると（ステップＳ３１）、ＣＰＵ４０１は、当該一のチャンネルに対するループＣの処理を終了する。
【００７０】
そして、アンテナシステム１により受信可能な全てのチャンネルに対するループＣの処理が終了すると（ステップＳ３２）、ＣＰＵ４０１は、本処理を終了する。
【００７１】
（指向性切替処理）
次に、アンテナシステム１によるアンテナ１３の指向性の切り替えに関する処理について、図６のフローチャートを参照して説明する。
【００７２】
ユーザによるリモコン３８１の操作等によって、ユーザ所望のチャンネルが指定されると（ステップＳ５１）、テレビジョン受像機３０のＣＰＵ４０１は、指向性切替プログラム４０３ｂを実行して、まず、チューナ３２に、ステップＳ５１にて指定されたチャンネルを設定する（ステップＳ５２）。
【００７３】
次いで、ＣＰＵ４０１は、ステップＳ５１にて指定されたチャンネルのＰＤＵＲリスト３９ａを検索して、ＰＤＵＲの値が最も高い方向情報を抽出する（ステップＳ５３）。
【００７４】
次いで、ＣＰＵ４０１は、ステップＳ５３にて抽出された方向情報が１つであるか否かを判定する（ステップＳ５４）。
【００７５】
ステップＳ５４で、ステップＳ５３にて抽出された方向情報が１つであると判定すると（ステップＳ５４；Ｙｅｓ）、ＣＰＵ４０１は、９０９インターフェイス３１に制御信号を入力して、アンテナ装置１０に対して、ステップＳ５３にて抽出された方向情報を送信させる（ステップＳ５８）。
【００７６】
一方、ステップＳ５４で、ステップＳ５３にて抽出された方向情報が１つでないと判定すると（ステップＳ５４；Ｎｏ）、ＣＰＵ４０１は、ステップＳ５３にて抽出された方向情報の中から、アンテナ１３の現時点での指向性の方向に最も近い方向の方向情報を抽出する（ステップＳ５５）。
【００７７】
次いで、ＣＰＵ４０１は、ステップＳ５５にて抽出された方向情報が１つであるか否かを判定する（ステップＳ５６）。
【００７８】
ステップＳ５６で、ステップＳ５５にて抽出された方向情報が１つであると判定すると（ステップＳ５６；Ｙｅｓ）、ＣＰＵ４０１は、９０９インターフェイス３１に制御信号を入力して、アンテナ装置１０に対して、ステップＳ５５にて抽出された方向情報を送信させる（ステップＳ５８）。
【００７９】
一方、ステップＳ５６で、ステップＳ５５にて抽出された方向情報が１つでないと判定すると（ステップＳ５６；Ｎｏ）、ＣＰＵ４０１は、ステップＳ５５にて抽出された方向情報の中から、アンテナ１３の指向性が時計回りで切り替わるような方向の方向情報を抽出し（ステップＳ５７）、９０９インターフェイス３１に制御信号を入力して、アンテナ装置１０に対して、ステップＳ５７にて抽出された方向情報を送信させる（ステップＳ５８）。
【００８０】
ステップＳ５８にて送信された方向情報を、アンテナ装置１０の９０９インターフェイス１１が受信すると（ステップＳ５９）、アンテナ装置１０のＣＰＵ１２１１は、切替制御プログラム１２１３ａを実行して、ステップＳ２６にて受信された方向情報に従って切替部１２２を制御して、当該方向情報の基づく方向に、アンテナ１３の指向性を切り替えさせる（ステップＳ６０）。
【００８１】
次いで、テレビジョン受像機３０のＣＰＵ４０１は、復調部３４から垂直同期信号が出力されたか否かに基づいて、アンテナ１３によりＴＶ放送信号が受信されたか否かを判定する（ステップＳ６１）。
【００８２】
ステップＳ６１で、アンテナ１３によりＴＶ放送信号が受信されなかったと判定すると（ステップＳ６１；Ｎｏ）、ＣＰＵ４０１は、アンテナ１３の指向性が切り替わっていない方向があるか否かを判断する（ステップＳ６２）。
【００８３】
ステップＳ６２で、アンテナ１３の指向性が切り替わっていない方向があると判断すると（ステップＳ６２；Ｙｅｓ）、ＣＰＵ４０１は、ステップＳ５１にて指定されたチャンネルのＰＤＵＲリスト３９ａを検索して、当該アンテナ１３の指向性が切り替わっていない方向の方向情報の中で、ＰＤＵＲの値が最も高い方向情報を抽出し（ステップＳ６３）、ステップＳ５４以降の処理を繰り返して行う。
【００８４】
一方、ステップＳ６２で、アンテナ１３の指向性が切り替わっていない方向がないと判断すると（ステップＳ６２；Ｎｏ）、ＣＰＵ４０１は、本処理を終了する。
【００８５】
また、ステップＳ６１で、アンテナ１３によりＴＶ放送信号が受信されたと判定すると（ステップＳ６１；Ｙｅｓ）、ＣＰＵ４０１は、本処理を終了する。
【００８６】
以上説明した本発明のアンテナシステム１によれば、アナログ方式のＴＶ放送信号の受信に際して指向性の切り替えが可能なアンテナ１３を備え、例えば、初期設定時に、切替部１２２によって、アンテナ１３の指向性を切り替えることができ、ＰＤＵＲ測定部３３によって、切替部１２２によりアンテナ１３の指向性が切り替えられた際に、アンテナ１３により受信されたＴＶ放送信号を分析してゴースト評価値であるＰＤＵＲを測定することができ、記憶部３９によって、ＰＤＵＲ測定部３３により測定された指向性の方向毎のＰＤＵＲをチャンネル毎に記憶するＰＤＵＲリスト３９ａを、記憶することができる。そして、例えば、通常動作時に、ユーザによるリモコン３８１の操作等によって、ユーザ所望のチャンネルが指定されると、指向性切替プログラム４０３ｂを実行したＣＰＵ４０１によって、切替部１２２を制御して、記憶部３９に記憶された当該所望のチャンネルに対応する指向性の方向のうちの、ＰＤＵＲの値が最も高い方向に、アンテナ１３の指向性を切り替えさせることができる。
すなわち、画像の多重映り等のゴースト障害の程度を客観的且つ定量的に表すＰＤＵＲを測定して、アンテナ１３の最適受信方向を決定するため、指向性の切り替えが可能なアンテナ１３の最適受信方向を、正確に決定することができる。
【００８７】
また、最適受信方向設定プログラム４０３ａを実行したＣＰＵ４０１や、指向性切替プログラム４０３ｂを実行したＣＰＵ４０１によって、切替部１２２によりアンテナ１３の指向性が切り替えられた際に、アンテナ１３によりＴＶ放送信号が受信されたか否かを判定することができ、ＰＤＵＲ測定部３３は、最適受信方向設定プログラム４０３ａを実行したＣＰＵ４０１によってアンテナ１３によりＴＶ放送信号が受信されたと判定された場合に、アンテナ１３により受信されたＴＶ放送信号を分析してＰＤＵＲを測定することができる。
したがって、アンテナ１３の指向性が切り替えられる度にＰＤＵＲを測定する場合に比べて、無駄なＰＤＵＲの測定を減らすことができ、効率的に、アンテナ１３の最適受信方向を決定することができる。
【００８８】
また、指向性切替プログラム４０３ｂを実行したＣＰＵ４０１は、切替部１２２を制御して、アンテナ１３によりＴＶ放送信号が受信されたと判定するまで、記憶部３９のＰＤＵＲリスト３９ａに記憶されたユーザ所望のチャンネルに対応する指向性の方向のうちの、ＰＤＵＲの値が高い方向から順に、アンテナ１３の指向性を切り替えさせることができる。
したがって、アンテナ１３の最適受信方向である確率が高い方向から順に、アンテナ１３の指向性を切り替えることができるため、効率的に、アンテナ１３の最適受信方向を決定することができる。
【００８９】
また、指向性切替プログラム４０３ｂを実行したＣＰＵ４０１は、記憶部３９のＰＤＵＲリスト３９ａに記憶されたユーザ所望のチャンネルに対応する指向性の方向の中に、ＰＤＵＲの値が同値の方向が複数ある場合には、当該複数の方向の中で、アンテナ１３の現時点での指向性の方向に最も近い方向に、切替部１２２を制御して、アンテナ１３の指向性を切り替えさせることができる。
したがって、アンテナ１３の指向性の方向を切替える際の切替角度を最小限に抑えることができるため、安定的に、アンテナ１３の最適受信方向を決定することができる。
【００９０】
なお、本発明は、上記した実施の形態のものに限るものではなく、その要旨を逸脱しない範囲で適宜変更可能である。
【００９１】
例えば、アンテナシステム１を、アナログ方式のＴＶ放送信号だけでなく、デジタル方式のＴＶ放送信号も受信可能な構成にしてもよい。
【００９２】
例えば、ＰＤＵＲの測定のタイミングは、ＴＶ放送信号が受信されたと判定された方向に指向性が切り替わった際にＰＤＵＲを測定するのであれば、任意である。
具体的には、本実施の形態では、一のチャンネルにおいて、アンテナ１３の指向性を一周切り替える間に、ＴＶ放送信号の受信の有無を判定し、その後、さらにアンテナ１３の指向性を一周切り替える間に、ＰＤＵＲを測定するようにしたが、例えば、アンテナ１３の指向性を一周切り替える間に、ＴＶ放送信号の受信の有無を判定するとともに、ＰＤＵＲを測定するようにしてもよい。すなわち、例えば、一の方向にアンテナ１３の指向性が切り替えられた際に、ＴＶ放送信号の受信の有無を判定するとともに、当該判定でＴＶ放送信号が受信されたと判定されるとＰＤＵＲを測定し、その後、他の方向にアンテナ１３の指向性を切り替えるようにしてもよい。
また、本実施の形態では、全てのチャンネルに対してＴＶ放送信号の受信の有無を判定した後、全てのチャンネルに対してＰＤＵＲを測定するようにしたが、例えば、全てのチャンネルに対して、ＴＶ放送信号の受信の有無を判定するとともに、ＰＤＵＲを測定するようにしてもよい。すなわち、例えば、チューナ３２に一のチャンネルが設定された際に、ＴＶ放送信号の受信の有無を判定するとともに、ＰＤＵＲを測定し、その後、チューナ３２に他のチャンネルを設定するようにしてもよい。
【００９３】
例えば、最適受信方向設定処理（図４及び５）において、「ＰＤＵＲ」記憶領域に記憶させたＰＤＵＲの値が、一定値（例えば、適宜設定可能な電波品質が充分に高いと判断できる値）以上であった場合には、一のチャンネルに対応するＴＶ放送信号を受信可能な全ての方向に対してループＤの処理を行わずに、ループＤの処理を強制的に抜け出すようにしたが、この限りではなく、例えば、「ＰＤＵＲ」記憶領域に記憶させたＰＤＵＲの値が、当該一定値以上であっても、一のチャンネルに対応するＴＶ放送信号を受信可能な全ての方向に対して、ループＤの処理を行ってもよい。
【００９４】
例えば、電波品質は、ＰＤＵＲの限りではなく、アンテナ１３により受信されるＴＶ放送信号（電波）の品質を表す評価値であれば任意である。
【図面の簡単な説明】
【００９５】
【図１】本発明にかかるアンテナシステムの機能的構成を示すブロック図である。
【図２】図１に示したアンテナの指向性の方向を示す図である。
【図３】図１に示したＰＤＵＲリストのデータ構造を示す図である。
【図４】本発明にかかるアンテナシステムによるアンテナの最適受信方向の設定に関する第１処理を説明するためのフローチャートである。
【図５】本発明にかかるアンテナシステムによるアンテナの最適受信方向の設定に関する第２処理を説明するためのフローチャートである。
【図６】本発明にかかるアンテナシステムによるアンテナの指向性の切り替えに関する処理を説明するためのフローチャートである。
【符号の説明】
【００９６】
１  アンテナシステム
１３  アンテナ
３３  ＰＤＵＲ測定部（測定手段）
３９  記憶部（記憶手段）
１２２  切替部（切替手段）
４０１  ＣＰＵ（判定手段、制御手段）
４０３ａ  最適受信方向設定プログラム（判定手段）
４０３ｂ  指向性切替プログラム（判定手段、制御手段）
【図１】
2008271023.tif 000004
【図２】
2008271023.tif 000005
【図３】
2008271023.tif 000006
【図４】
2008271023.tif 000007
【図５】
2008271023.tif 000008
【図６】
2008271023.tif 000009